(57)【要約】【課題】ある企業がファイナンス情報サイトやファイナンス情報アプリケーションを介して自社ＩＲを行おうとしても、投資家などからみるとこれらを利用した所定企業へのアクセスは負担が大きく、またＩＲしたい企業にとってみれば積極的に自社の情報にアクセスしてもらえるような仕掛けを作ることもできず、投資家などを呼び込むには限界がある。【解決手段】以上の課題を解決するために、本発明は、企業別に用意されたＩＲアプリケーションを用意し入手させることで投資家などのユーザに積極的に自社ＩＲ情報を提示できるようにするとともに、そのＩＲアプリケーション自体の入手に関して、当該企業のウエブページや年次報告書などの冊子などのＩＲ情報表示体に、そのアプリケーションのダウンロード用のアクセス情報を表示するよう構成したＩＲシステムを提供する。【選択図】図３
2014130488.tif 000002
【特許請求の範囲】
【請求項１】
ＩＲ情報を表示するＩＲ情報表示領域と、
アプリケーションダウンロードサーバへのアクセス情報を表示するアクセス情報表示領域と、を有するＩＲ情報表示体と、
前記ＩＲ情報表示体に表示されているアクセス情報を読み取るアクセス情報読取部と、
読み取ったアクセス情報を利用してアプリケーションダウンロードサーバにアクセスするダウンロードサーバアクセス部と、
前記アクセスに応じてＩＲアプリケーションをダウンロードするダウンロード部と、
前記ＩＲアプリケーションを実行するＩＲアプリケーション実行部と、を有するモバイル端末装置と、
前記ＩＲアプリケーションを送信する送信部を有するアプリケーションダウンロードサーバと、
ＩＲ情報を保持するＩＲ情報保持部と、
前記ＩＲアプリケーションの実行に応じて要求されるＩＲ情報保持部に保持されたＩＲ情報をそのＩＲアプリケーションに対して送信するＩＲ情報送信部と、を有するＩＲ情報サーバと、
からなるＩＲシステム。
【請求項２】
前記アプリケーションダウンロードサーバからダウンロードされるＩＲアプリケーションは、
ＩＲアプリケーション実行部での実行に応じてモバイル端末装置に、
スケジュールに従ってＩＲ情報サーバに対してＩＲ情報保持部に保持されているＩＲ情報を要求し取得する取得手段と、
取得したＩＲ情報を表示する表示手段と、
を実現するように構成されている請求項１に記載のＩＲシステム。
【請求項３】
前記ＩＲ情報表示体は、ウエブサーバ装置である請求項１又は２に記載のＩＲシステム。
【請求項４】
前記ＩＲ情報表示体は、前記ＩＲアプリケーションとは別の他ＩＲアプリケーションである請求項１又は２に記載のＩＲシステム。
【請求項５】
前記ＩＲ情報表示体は、紙媒体である請求項１又は２に記載のＩＲシステム。
【請求項６】
ＩＲ情報一時保持部と、
ＩＲ情報一時保持部に保持されたＩＲ情報を用いて、前記ウエブサーバ装置にて表示されるＩＲ情報を管理するウエブＩＲ情報管理部と、
ＩＲ情報一時保持部に保持されたＩＲ情報を用いて、前記ＩＲ情報サーバのＩＲ情報保持部に保持されたＩＲ情報を管理するＩＲ情報サーバＩＲ情報管理部と、を有するＩＲ情報管理サーバ
をさらに有する請求項３に記載のＩＲシステム。
【請求項７】
ＩＲ情報一時保持部は、前記ウエブサーバ装置にて表示されるＩＲ情報と、前記ＩＲ情報サーバのＩＲ情報保持部に保持されたＩＲ情報の共通のＩＲ情報である共通ＩＲ情報を保持する共通保持手段を有する請求項６に記載のＩＲシステム。
【発明の詳細な説明】
【技術分野】
【０００１】
本発明は、企業のＩＲ情報を好適に提供するための技術に関する。
【背景技術】
【０００２】
従来、企業は、例えば新技術や新商品に関するプレスリリース情報や決算報告情報などのＩＲ（インベスター・リレーションズ）情報を、インターネット上のウエブページに掲載したり、年次報告書などの冊子にまとめて出版したりすることで、株主や投資家などに対する広報活動を行っている。
【０００３】
そして株主や投資家たちは、これらウエブページや冊子などを閲覧し、その公開されたＩＲ情報を参照して、株の取引や投資判断などを行うことができる。
【０００４】
また、ＩＲ情報以外でウエブページや冊子などに掲載されるような情報、例えば株価などのファイナンス情報などに関して、同様の情報をアプリケーションを利用してユーザに提示する技術も提供されている。例えば非特許文献で示すウエブページではファイナンスに関する各種情報が掲載されているが、スマートフォンなどに組み込まれ、このウエブページと同様の情報を当該スマートフォン上で表示するためのアプリケーションも別途提供されている。
【０００５】
したがって、ユーザは例えばブラウザを起動してウエブページにアクセスし、ファイナンス情報を入手することもできるし、スマートフォンのアプリダウンロードサイトにアクセスし、そこからダウンロードしたファイナンス情報表示用のアプリケーションを利用してファイナンス情報を入手することもできる。
【先行技術文献】
【非特許文献】
【０００６】
【非特許文献１】Ｙａｈｏｏ！（登録商標）ファイナンス                          （http://finance.yahoo.co.jp/）
【発明の概要】
【発明が解決しようとする課題】
【０００７】
しかし上記ウエブページでＩＲ情報を提供する場合、まず投資家などを自社のＩＲ情報を掲載したページ（ＩＲページ）に誘導する必要があるが、情報量が多くなっている近年の企業のウエブサイトではＩＲページへの誘導自体が困難である。また、たとえ誘導に成功したとしても、投資家などにそのＩＲページをブックマークさせることは困難であり、万が一ブックマークをしてもらえたとしてもリピートして自社のＩＲページを訪問してもらうのはさらに困難である。したがって、貴重な自社ウエブサイトやＩＲページ訪問のチャンスを最大限に活かす手法が求められるが、従来は、ブックマークをしてもらうようにサイトのレイアウトやリンクなどを工夫する程度しか解決方法がなかった。
【０００８】
また、自社のＩＲ情報を掲載したページを訪問してもらう以上に、自社のＩＲ冊子などを読んでもらうのは困難である。さらに、自社のＩＲ冊子を定期的に繰返し投資家などに読んでもらうことはさらに困難である。
【０００９】
一方、上場企業の株価情報などをタイムリーに開示するファイナンス情報サイトやファイナンス情報アプリケーションなども企業のＩＲ情報を発信する場として利用可能である。しかしこのようなサイトやアプリケーションは特定の企業のＩＲに特化するのでなく、一般には日本の全上場企業についての情報を開示している。そのため、投資家などは、特定の企業の情報を知りたいときには企業名称や企業コードを入力などして特定の企業の情報にアクセスする必要がある。しかし、企業名称を必ずしもすべての投資家がはっきりと認識しているわけでなく、ましてや企業コードを記憶している投資家などはすでにその企業を恒常的にウォッチングしている投資家であって、新規の投資家は企業コードなど知る由もない。
【００１０】
したがって、ある企業がファイナンス情報サイトやファイナンス情報アプリケーションを介して自社ＩＲを行おうとしても、投資家などからみるとこれらを利用した所定企業へのアクセスは負担が大きく、またＩＲしたい企業にとってみれば積極的に自社の情報にアクセスしてもらえるような仕掛けを作ることもできず、投資家などを呼び込むには限界がある。
【課題を解決するための手段】
【００１１】
以上の課題を解決するために、本発明は、企業別に用意されたＩＲアプリケーションを用意し入手させることで投資家などのユーザに積極的に自社ＩＲ情報を提示できるようにするとともに、そのＩＲアプリケーション自体の入手に関して、当該企業のウエブページや年次報告書などの冊子などのＩＲ情報表示体に、そのアプリケーションのダウンロード用のアクセス情報を表示するよう構成したＩＲシステムを提供する。
【００１２】
より具体的には、ＩＲ情報を表示するＩＲ情報表示領域と、アプリケーションダウンロードサーバへのアクセス情報を表示するアクセス情報表示領域と、を有するＩＲ情報表示体と、前記ＩＲ情報表示体に表示されているアクセス情報を読み取るアクセス情報読取部と、読み取ったアクセス情報を利用してアプリケーションダウンロードサーバにアクセスするダウンロードサーバアクセス部と、前記アクセスに応じてＩＲアプリケーションをダウンロードするダウンロード部と、前記ＩＲアプリケーションを実行するＩＲアプリケーション実行部と、を有するモバイル端末装置と、前記ＩＲアプリケーションを送信する送信部を有するアプリケーションダウンロードサーバと、ＩＲ情報を保持するＩＲ情報保持部と、前記ＩＲアプリケーションの実行に応じて要求されるＩＲ情報保持部に保持されたＩＲ情報をそのＩＲアプリケーションに対して送信するＩＲ情報送信部と、を有するＩＲ情報サーバと、からなるＩＲシステムを提供する。
【００１３】
また、上記構成を備え、さらに前記アプリケーションダウンロードサーバからダウンロードされるＩＲアプリケーションが、ＩＲアプリケーション実行部での実行に応じてモバイル端末装置に、スケジュールに従ってＩＲ情報サーバに対してＩＲ情報保持部に保持されているＩＲ情報を要求し取得する取得手段と、取得したＩＲ情報を表示する表示手段と、を実現するように構成されているＩＲシステムも提供する。
【００１４】
また、上記構成を備え、さらに前記ＩＲ情報表示体が、ウエブサーバ装置であるＩＲシステムや、前記ＩＲ情報表示体が、前記ＩＲアプリケーションとは別の他ＩＲアプリケーションであるＩＲシステムや、前記ＩＲ情報表示体が、紙媒体であるＩＲシステムなども提供する。
【００１５】
また、前記ＩＲ情報表示体をウエブサーバ装置として、当該ウエブサーバ装置により提供されるウエブページに掲載されるＩＲ情報と、ＩＲアプリケーションで入手可能なＩＲ情報の管理を一のＩＲ情報管理サーバで行う構成とし、例えば両者のＩＲ情報を共通化するなどの機能を備えるＩＲシステムも提供する。
【００１６】
具体的には、上記構成に加えて、さらにＩＲ情報一時保持部と、ＩＲ情報一時保持部に保持されたＩＲ情報を用いて、前記ウエブサーバ装置にて表示されるＩＲ情報を管理するウエブＩＲ情報管理部と、ＩＲ情報一時保持部に保持されたＩＲ情報を用いて、前記ＩＲ情報サーバのＩＲ情報保持部に保持されたＩＲ情報を管理するＩＲ情報サーバＩＲ情報管理部と、を有するＩＲ情報管理サーバをさらに有するＩＲシステムや、そのＩＲ情報一時保持部が、前記ウエブサーバ装置にて表示されるＩＲ情報と、前記ＩＲ情報サーバのＩＲ情報保持部に保持されたＩＲ情報の共通のＩＲ情報である共通ＩＲ情報保持手段を有するＩＲシステムを提供する。
【発明の効果】
【００１７】
以上のような構成をとる本発明によって、企業のウエブページや冊子などの形態で提供されるＩＲ情報表示体に、上記ＩＲアプリケーションを入手するためのアクセス情報を表示することで、自然な流れで投資家などを自社専用ＩＲアプリケーションに誘導することができる。
【００１８】
したがって、企業側としては、投資家などが自社ＩＲページや冊子などを訪問した千載一遇のチャンスを最大限活かして、従来のウエブページを再訪する困難性、汎用のファイナンス情報サイトやファイナンス情報アプリケーションでの自社ＩＲページまでのアクセスの煩雑性、さらには自社から投資家などに対する積極的アプローチの困難性の問題を同時に解決することが可能なＩＲアプリケーションをユーザにダウンロードさせることができる。
【図面の簡単な説明】
【００１９】
【図１】実施例１のＩＲシステムにおけるＩＲ情報表示体の一例である紙媒体の年次報告書の一例を表す図
【図２】実施例１のＩＲシステムにおけるＩＲアプリケーションの実行によるＩＲ情報の表示の一例を表す図
【図３】実施例１のＩＲシステムにおける機能ブロックの一例を表す図
【図４】実施例１のＩＲ情報保持部で保持されているＩＲ情報の一例を表す図
【図５】実施例１のＩＲシステムのモバイル端末装置におけるハードウェア構成の一例を表す図
【図６】実施例１のＩＲシステムのサーバ装置（アプリケーションダウンロードサーバとＩＲ情報サーバの組み合わせ）におけるハードウェア構成の一例を表す図
【図７】実施例１のＩＲシステムにおける処理の流れの一例を表すフローチャート
【図８】実施例２のＩＲシステムにおける機能ブロックの一例を表す図
【図９】実施例２のＩＲシステムにおけるハードウェア構成の一例を表す図
【図１０】実施例２のＩＲシステムにおける処理の流れの一例を表すフローチャート
【図１１】実施例１のＩＲシステムのモバイル端末装置におけるブラウザとＩＲアプリケーションによるＩＲ情報へのアクセス手順の一例を説明するための図
【発明を実施するための形態】
【００２０】
以下に、図を用いて本発明の実施の形態を説明する。なお、本発明はこれら実施の形態に何ら限定されるものではなく、その要旨を逸脱しない範囲において、種々なる態様で実施しうる。
【００２１】
なお、実施例１は、主に請求項１から５について説明する。また、実施例２は、主に請求項６，７について説明する。
【００２２】
≪実施例１≫
<概要>
図１は、本実施例のＩＲシステムのＩＲ情報表示体である紙媒体の年次報告書や、ウエブページ上での年次報告書の一例を表す図である。この図にあるように、例えば企業ＡのＩＲ情報を知りたいと思い、このような年次報告書を入手したユーザは、図１に示すような年次報告書の目次などを参照して、この一年のＡ社における財務情報のあるページなどを確認し、企業Ａの各種財務情報や技術情報などを知ることなどができる。
【００２３】
また、本実施例におけるこの年次報告書（ＩＲ情報表示体）には、モバイル端末装置にインストールされ、モバイル端末装置上で上記企業ＡのＩＲ情報をユーザに提示する機能を備えたアプリケーションである「ＩＲアプリケーション」を保持するダウンロードサーバのＵＲＬ（ユニフォーム・リソース・ロケータ）を二次元コード化したもの（０１０１）が表示されている。
【００２４】
そこでユーザは、当該二次元コードをモバイル端末装置のカメラ機能で撮影し、その画像解析の結果得られたＵＲＬで識別されるダウンロードサーバ装置にアクセスする。そして、当該ダウンロードサーバ装置から企業Ａ用のＩＲアプリケーションをダウンロードし、所定の処理手順を経てそれをモバイル端末装置にインストールする。
【００２５】
すると、図２に示すようにモバイル端末装置のホーム画面上に、ブラウザなどのアプリケーションと並んで、この企業Ａ用のＩＲアプリケーションを起動するためのアイコン（０２０１）が表示される。そして、このアイコンを選択してＩＲアプリケーションを実行すると、図２（ｂ）に示すような画面に遷移し、企業ＡのＩＲ情報を入手するためのメニュー画面がモバイル端末装置上に表示される。
【００２６】
そしてユーザはそのメニュー画面内から知りたいＩＲ情報の選択パネルにタッチするなどして選択するだけで、所望の企業Ａに関するＩＲ情報を簡単に入手することができる。
【００２７】
以上のように本実施例のＩＲシステムでは、企業のウエブページや冊子などの形態で提供されるＩＲ情報表示体に、上記ＩＲアプリケーションを入手するためのアクセス情報を表示することで、自然な流れで投資家などを自社専用ＩＲアプリケーションに誘導することができる。
【００２８】
したがって、企業などとしては、投資家などが自社ＩＲページや冊子などを訪問した千載一遇のチャンスを最大限活かしてＩＲアプリケーションをユーザのモバイル端末装置にダウンロードさせることができ、そのＩＲアプリケーションによって、自社ＩＲ情報を容易に、かつ積極的にユーザに提示することができる。
【００２９】
<機能的構成>
図３は、本実施例のＩＲシステムにおける機能ブロックの一例を表す図である。なお以下に記載する本システムや本システムを構成する各装置などの機能ブロックは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。
【００３０】
あるいは本システムの機能ブロックは専用ハードウェアによって実現されてもよい。また後述するように、本実施例のＩＲ情報表示体については、上記のような装置として実現されても良いし、紙媒体などの装置以外のもので実現されても良い。
【００３１】
また、本明細書に記載の各実施例はシステムとして実現できるのみでなく、方法としても実現可能である。また、このような装置の一部をソフトウェアとして構成することができる。さらに、そのようなソフトウェアをコンピュータに実行させるために用いるソフトウェア製品、及び同製品を固定した記録媒体も、当然に本明細書に記載の各実施例の技術的な範囲に含まれる（本明細書の全体を通じて同様である）。
【００３２】
そして、図３に示すように、本実施例のＩＲシステムは、「ＩＲ情報表示体」（０３００）と、「モバイル端末装置」（０３１０）と、「アプリケーションダウンロードサーバ」（０３２０）と、「ＩＲ情報サーバ」（０３３０）と、からなる。
【００３３】
（ＩＲ情報表示体）
図３に示すように、「ＩＲ情報表示体」（０３００）は、「ＩＲ情報表示領域」（０３０１）と、「アクセス情報表示領域」（０３０２）と、を有する。なお、「ＩＲ情報表示体」は、ＩＲ情報を表示するものであれば特に限定しないが、例えば、ＩＲ情報が掲載されるウエブページをユーザの端末装置上で表示するウエブサーバ装置や、後述するＩＲアプリケーションとは別のインターネットブラウザなどの他ＩＲアプリケーション、電子ブック、メール、冊子やパンフレットなどの紙媒体などが挙げられる。
【００３４】
「ＩＲ情報表示領域」（０３０１）は、ＩＲ情報表示体にてＩＲ情報を表示する領域をいい、その表示スペースの大きさや位置、表示態様などは特に限定しない。例えばＩＲ情報表示体が紙媒体であれば、印刷という形で紙上の所定の領域に、ＩＲ情報がカラー／モノクロ、またテキストのみ／画像や図形、グラフなども含む形態で表示される。また、ＩＲ情報表示体がウエブサーバ装置であれば、当該ウエブサーバ装置へのアクセスでユーザ端末装置上に表示されるウエブページ上の所定の領域にＩＲ情報がテキスト及び画像や図形、グラフなども含む形態で表示されたり、また外部のリンク先にある動画をウエブページ内で埋め込み表示したりする、という具合である。
【００３５】
また、ここで表示される「ＩＲ情報」についても特に限定せず、例えば新技術や新商品、また提携や買収などに関するプレスリリースや各種財務情報（売上高、営業利益、流動資産、固定資産、純資産、有利子負債、自己資本比率、設備投資費、減価償却費、１株当たりの配当額など）などの一般的な投資家や株主用の情報のほか、代表者の挨拶や企業理念の紹介、企業活動や社会奉仕活動の報告など各種さまざまな情報が挙げられる。
【００３６】
「アクセス情報表示領域」（０３０２）は、アプリケーションダウンロードサーバへのアクセス情報を表示する領域をいい、こちらもその表示スペースの大きさや位置、表示態様などは特に限定しない。例えば、表示領域の右下や左上などの所定位置に、アクセス情報である「ＵＲＬ」などを直接表示したり、ウエブページであればそのＵＲＬをハイパーリンクとして表示したり、図１に示すように当該ＵＲＬを二次元コード（０１０１）化して表示したりする、という具合である。なお、「アクセス情報」とは、アプリケーションダウンロードサーバへアクセスし、後述するＩＲアプリケーションをダウンロードするために利用される識別情報をいい、例えばアプリケーションダウンロードサーバに割り当てられたＵＲＬやＩＰアドレスなどが挙げられる。
【００３７】
またアプリケーションダウンロードサーバに直接割り当てられたＵＲＬなど以外に、アクセス情報は、モバイル端末装置からのアクセスをアプリケーションダウンロードサーバへＨＴＴＰリダイレクト処理するリダイレクトサーバのＵＲＬやＩＰアドレスなどであっても良い。あるいは、アプリケーションダウンロードサーバに保持されているＩＲアプリケーションをダウンロードするためのウエブページを保持するウエブサーバのＵＲＬやＩＰアドレスなどであっても良い。
【００３８】
またアクセス情報は、ＩＲアプリケーションそのもののファイル名や、ダウンロードの認証やウエブページへのログイン認証などに利用するパスワードなどがＵＲＬやＩＰアドレスの文字列に追加されたものであっても良い。
【００３９】
このように、企業のウエブページや冊子などの形態で提供されるＩＲ情報表示体に、上記ＩＲアプリケーションを入手するためのアクセス情報を表示することができる。
【００４０】
したがって、前述の通り入手の手間が煩雑となってしまうＩＲアプリケーションの入手を、これらのＩＲ情報表示体に触れたユーザに促すことができ、ユーザが負担を感じるＩＲアプリケーション入手の負担を減らすことができる。
【００４１】
（モバイル端末装置）
図３に示すように、「モバイル端末装置」（０３１０）は、「アクセス情報読取部」（０３１１）と、「ダウンロードサーバアクセス部」（０３１２）と、「ダウンロード部」（０３１３）と、「ＩＲアプリケーション実行部」（０３１４）と、を有する。
【００４２】
なお、「モバイル端末装置」は、ユーザが携行可能で、かつ通信機能を有する端末装置であれば特に限定せず、例えばノートＰＣやタブレットＰＣ、携帯電話、スマートフォン、電子ブックリーダ、あるいは本サービス専用のモバイル端末装置などが挙げられる。
【００４３】
「アクセス情報読取部」（０３１１）は、前記ＩＲ情報表示体に表示されているアクセス情報を読み取る機能を有し、例えばＣＰＵや主メモリ、またカメラやバーコードリーダなどの情報取得装置、あるいはキーボードなどの入力デバイス、そしてアクセス情報読取プログラムなどによって実現することができる。
【００４４】
このアクセス情報読取部でのアクセス情報の読み取りについては、例えばカメラなどの撮影装置にてＩＲ情報表示体に表示されているアクセス情報（例えば二次元コードや文字列など）の画像データを取得し、それをアクセス情報の形態に応じた所定の解析プログラム（二次元コードであれば二次元コード解析プログラム、文字列であれば光学式文字解析プログラムなど）で解析することでアクセス情報を読み取る方法が挙げられる。
【００４５】
また、ＩＲ情報表示体に表示されているアクセス情報が人間にも理解可能な通常な文字、数字、記号列などであれば、キーボードやタッチパネルなどの文字入力手段を介して入力された当該アクセス情報を示す文字列の取得を、アクセス情報の読み取りとしても良い。
【００４６】
また、ＩＲ情報表示体が当該モバイル端末装置に組み込まれたインターネットブラウザなどの他ＩＲアプリケーションであれば、インターネットブラウザなどにて表示されているデータの中から例えば所定のタグやユーザ操作などで指定される文字列や画像を特定し、画像であれば別途画像解析プログラムなどで解析することでアクセス情報を読み取る方法も挙げられる。
【００４７】
「ダウンロードサーバアクセス部」（０３１２）は、読み取ったアクセス情報を利用してアプリケーションダウンロードサーバにアクセスする機能を有し、例えばＣＰＵや主メモリ、通信回路、ダウンロードサーバアクセスプログラムなどによって実現することができる。
【００４８】
そして、このアプリケーションダウンロードサーバへのアクセスは、ＩＲアプリケーションをダウンロードするためのアクセスであり、具体的には、例えば上記のようにして読み取ったアクセス情報で示されるＵＲＬなどを宛先としてＨＴＴＰリクエストを生成し、直接アプリケーションダウンロードサーバ装置へダウンロードリクエストを送信したり、前述のリダイレクトサーバや、アプリケーションダウンロード用のウエブページを介して間接的にアプリケーションダウンロードサーバ装置へダウンロードリクエストを送信したりする、という具合である。
【００４９】
「ダウンロード部」（０３１３）は、前記アクセスに応じてＩＲアプリケーションをダウンロードする機能を有し、例えばＣＰＵや主メモリ、通信回路、ダウンロードプログラムなどによって実現することができる。
【００５０】
具体的には、上記ダウンロードリクエストに応答する形でアプリケーションダウンロードサーバから返信されたＩＲアプリケーションデータを受信し、フラッシュメモリやＨＤＤなどに記録、保持するという具合である。
【００５１】
また、ダウンロード部でのＩＲアプリケーションのダウンロードについては、アクセス情報にそのダウンロードに直接的に必要とされる識別情報（例えばファイル名など）以外の他の識別情報が含まれており、当該他の識別情報に応じてダウンロードされるＩＲアプリケーションが選択される構成としても良い。
【００５２】
例えば、一般に閲覧可能なＷｅｂページや誰でも参加できるＩＲ説明会で公開、配布されるＩＲ情報表示体のアクセス情報には、一般向けであることを示す識別情報が含まれており、そのアクセス情報に基づくダウンロードリクエストに対しては、例えば一般向けに標準的なＩＲ情報を提供するＩＲアプリケーションが選択されダウンロードされる。一方、金融機関や証券会社の社員などのプロ向けに配布、公開されているＩＲ情報表示体のアクセス情報には、当該プロ向けであることを示す識別情報が含まれており、それに対しては例えばプロ向けにより詳細なＩＲ情報を提供するプロ向けＩＲアプリケーションがダウンロードされる、という具合である。
【００５３】
あるいは、ＩＲ説明会などで配布されるＩＲ情報表示体のアクセス情報には、当該ＩＲ説明会で配布されたことを示す識別情報が含まれており、そのアクセス情報に基づくダウンロードリクエストに対しては、特典的に特別なＩＲ情報が表示できるＩＲアプリケーションをダウンロード可能とすることで、ＩＲ説明会に実際に参加するインセンティブとしても良い。
【００５４】
また、アクセス情報に、当該アクセス情報が表示されている媒体であるウエブページや冊子、電子ブックなど識別情報が含まれており、それに応じてその識別情報を自身の操作履歴などと合わせて出力可能なＩＲアプリケーションがダウンロードされても良い。そしてその出力情報を解析することによって、例えばウエブページ経由でＩＲアプリケーションをダウンロードしたユーザは株式配当に興味があるユーザが多いので当該ウエブページでは株式配当情報を充実させたり、電子ブック経由でＩＲアプリケーションをダウンロードしたユーザは特許情報に興味があるユーザが多いので電子ブックでは特許情報を充実させたり、といった対応をとることも可能になる。
【００５５】
「ＩＲアプリケーション実行部」（０３１４）は、前記ＩＲアプリケーションを実行する機能を有し、例えばＣＰＵや主メモリ、ＩＲアプリケーション実行プログラムなどによって実現することができる。
【００５６】
なお、「ＩＲアプリケーション」とは、所定の企業や企業に類する団体ごとに用意され、当該企業などのＩＲ情報を表示することを基本機能とするアプリケーションソフトウェアをいう。
【００５７】
したがって、このＩＲアプリケーションは、例えばインターネット上のＨＴＭＬ文書を解釈し表示することを基本機能とする中で、ＨＴＭＬ文書にてＩＲ情報が含まれる場合にそのＩＲ情報を表示するようなインターネットブラウザや、汎用的にテキスト情報を表示することを基本機能とする中でテキストデータにＩＲ情報が含まれる場合にそのＩＲ情報を表示するようなテキスト作成、表示用アプリケーションなどは含まれないものとする。
【００５８】
また、ＩＲアプリケーションはＩＲ情報を表示することを基本機能とするため、ＩＲ情報の表示や表示に係る処理に特化して各種機能を実装することができる。特にウエブページベースの媒体では通信環境が整っていなければ実行することが困難な、オフラインで実行可能な機能を有していると良い。例えば、新技術／商品紹介や代表者挨拶などをインターネットなどによる配信では再生時に一時停止などの不具合が生じやすい高精細動画データとして再生し表示する機能が挙げられる。あるいは、新商品を三次元ＣＡＤ（コンピュータ・エイディッド・デザイン、又はコンピュータ・アシスティッド・ドローイング）で作図された製図データとし、ＩＲアプリケーション上でのユーザ操作に応じて分解、組み立てなどを可能に表示する機能も挙げられる。
【００５９】
また、このＩＲアプリケーションは取得したＩＲ情報を利用して当該企業の業績変動予想シミュレーションや株価変動予想シミュレーションを実行する機能をさらに有し、その変動予想をアニメーション化したグラフや図表などで表示する機能を有していても良い。また、その場合、ＩＲアプリケーションがインターネット接続環境下にある場合に、後述するＩＲ情報サーバからＩＲ情報を取得、蓄積する構成とし、オフライン状態でもこの業績や株価などの変動予想シミュレーションを実行できるように構成すると良い。
【００６０】
あるいは、このＩＲアプリケーションは外部の株式データベースから株価情報を取得し、その企業の株価の推移をアニメーション表示する機能も挙げられる。また、そのＩＲアプリケーションに関する企業の株の売買を実行する機能も挙げられる。この機能では、例えば売買金額指定などの売買予約情報の入力を受付け、インターネット接続環境になるとインターネット証券会社の株式売買用のサイトに自動でログインし、株式の売買を実行する、という具合である。またモバイル端末装置がインターネット接続可能な環境にある状態でユーザがＩＲアプリケーションを利用して上記インターネット証券会社のサイトにアクセスし、株式売買手続を行っても良い。
【００６１】
また、例えばＩＲアプリケーションは、自身が表示するＩＲ情報に関する企業の識別情報をキーとして外部の特許情報データベースにアクセスし、その特許情報データベースから取得した当該企業の特許情報（公報テキストや経過情報など）を収集し表示する機能を備えていても良い。あるいは、特許情報に限らず、汎用の企業情報データベースにアクセスし、当該企業に関する企業情報を収集し表示する機能を備えていても良い。また当該企業のみならず、当該企業やその商品／サービスに関連する他の企業の識別情報を当該企業ＩＤと関連付けたデータベースを別途参照することで、当該ＩＲアプリケーションに関する企業ＩＤから、の商品／サービスに関連する他の企業の識別情報を特定し、その他の企業の識別情報を利用して上記特許情報や企業情報を収集、表示しても良い。なお、これら特許情報や企業情報の外部データベースの参照に当たっては、インターネット接続環境下にて実行し、そこで得た情報をオフライン状態でも利用できるよう構成すると良い。
【００６２】
またＩＲアプリケーションは、その他にも、例えば上記のように取得した特許情報の公開日を参照して、ＩＲ情報として表示される売上推移や株価変動を示す図表中の当該公開日の時点に、注釈やその特許公報データへのリンクを貼り付けて当該図表を表示する機能を備えていても良い。このようにして、売上げや株価に影響を与えたと想定される特許技術などを推定することができる。
【００６３】
また、このＩＲアプリケーションは、自身に関連する企業の株主の認証コードを受付け、外部の認証サーバの認証処理によって当該株主を認証する機能を有していても良い。そしてそのようにしてユーザが株主として認証された場合に、株主用の機能を提供するよう構成しても良い。その株主用の機能としては、例えば、株主にのみ公開されるような株主限定ＩＲ情報を取得、表示する機能が挙げられる。また、株主総会の配信映像をリアルタイムに受信、表示する機能や、その配信映像を参照して議決権を行使するための情報入力送信用画面を表示し、入力された情報を株主総会サーバに送信する機能なども挙げられる。
【００６４】
あるいは同じ企業の株主同士をメンバーとするＳＮＳ（ソーシャル・ネットワーク・サービス）などに接続する機能や、各株主が自身の所有株式数の情報を入手したり、外部の企業データベースから各株主の所有株式数の情報を取得したりすることで、その株式数に応じて株主をＳＮＳ上でグループ分けして連絡を取り合える機能をさらに備えていても良い。
【００６５】
また、このＩＲアプリケーションは、自身に入力された操作履歴や、自身がダウンロードされたモバイル端末装置内にある他のＩＲアプリケーションの識別情報や、その他のＩＲアプリケーションへの操作履歴を収集し、ユーザの了承などを得た場合に、その収集情報を外部のサーバに送信する機能を有していても良い。
【００６６】
このようにして、例えば前述のように、さらにＩＲ情報の入手媒体の識別情報も合わせて送信することで、ウエブページ経由でＩＲアプリケーションをダウンロードしたユーザは株式配当に興味があるユーザが多いなどの分析を行うことができる。あるいは、例えば化学分野の企業のＩＲ情報に興味があるユーザは、食品関連の企業のＩＲ情報にも興味があるなどのマーケティング分析を行うこともできる。
【００６７】
そして、ＩＲアプリケーション実行部においてこのようなＩＲアプリケーションが実行されると、後述するＩＲ情報サーバへのＩＲ情報の取得リクエストが実行され、その結果取得されたＩＲ情報がＩＲアプリケーションの表示処理によってモバイル端末装置上で表示される。それによってユーザは、ＩＲ情報表示体によるＩＲ情報の取得に加えて、そのＩＲ情報表示体に表示されているアクセス情報を利用してダウンロードしたＩＲアプリケーションによる上記のようなさまざまな形態でのＩＲ情報の取得が可能となる。
【００６８】
より具体的に、このＩＲアプリケーションはモバイル端末装置上で実行されることで、モバイル端末装置に、図示しない「取得手段」と、「表示手段」と、を実現するように構成されていると良い。
【００６９】
「取得手段」は、スケジュールに従ってＩＲ情報サーバに対してＩＲ情報保持部に保持されているＩＲ情報を要求し取得する機能を有し、例えばＣＰＵや主メモリ、通信回路や取得プログラムなどによって実現することができる。なお、ＩＤ情報の取得を要求するスケジュールについては特に限定しないが、例えば四半期単位でＩＲ情報が公開されるのであれば、その公開日として設定されている日付などを当該要求を実行するスケジュールなどとすると良い。
【００７０】
また、「表示手段」は、取得したＩＲ情報を表示する機能を有し、例えばＣＰＵや主メモリ、ビデオメモリやディスプレイ装置、表示プログラムなどによって実現することができる。そして、この表示形態や表示に係るその他機能（例えばアプリの起動後のトップの項目選択画面やＩＲ情報のグラフ化／図表化表示機能、ＩＲ情報の検索機能など）は、前述の通り各ＩＲ情報の関連性などを考慮してまとめられた選択項目としたり、各ＩＲ情報の内容に合わせてそのグラフ表示や図表表示、またアニメーション表示などが実行されたりという具合に、ＩＲ情報に好適に設計されたものであると良い。
【００７１】
また、このＩＲアプリケーションは、いわゆる常駐型のアプリケーションとしてモバイル端末装置の起動後に自動的にメモリ上などに読み出され実行され、取得手段などを実現するよう構成しても良い。そして、ユーザ操作に応じて表示手段を実現し、取得手段の自動実行により取得したＩＲ情報を表示する態様であっても良い。また常駐型のアプリケーションの場合、取得手段にて新しいＩＲ情報を取得した際には、所定の通知領域にその旨を表示する構成を備えていても良い。
【００７２】
このように、ＩＲアプリケーションは企業ごとに用意され、その実行によってユーザはすぐに所望の企業のＩＲ情報を知ることができる。
【００７３】
なお上記モバイル端末装置が、ホーム画面（起動後の初期画面。画面表示サイズに応じて非階層的な関係を有するページに渡って表示されるホーム画面でも良い）に各種機能を実行するためのアイコンやパネルなどの選択項目を階層的に同列に配置するモバイル端末装置（スマートフォンやタッチ操作機能に特化したＯＳを組み込んだタブレットＰＣ／モバイルノートＰＣなど）であれば、前述のＩＲ情報を掲載するウエブページにアクセスするためのブラウザと、後述するＩＲアプリケーションの実行アイコンなどが最上位階層のホーム画面上に配置されることになる。
【００７４】
したがってその場合には、図１１に示すように、最上位階層のホーム画面からの起動であっても、ブラウザによるウエブページ（ＩＲ情報表示体）へのアクセスの場合は、所望の企業がブックマークされていればブックマーク表示と選択、新規企業であれば検索機能による検索及び検索結果からの選択などを経て、所望企業のＩＲ情報が掲載されたウエブページ（ＩＲページ）にアクセスする必要がある（また、新規検索結果からの選択の場合は、所望企業のトップページからＩＲ情報が掲載されたページの探索も必要となる）のに対し、企業別のＩＲアプリケーションの場合は、起動後ほぼすぐにＩＲ情報を入手できる、という具合に、当該ＩＲアプリケーションを起動、実行するだけで所望の企業のＩＲ情報を簡単に入手することができるようになる。
【００７５】
（アプリケーションダウンロードサーバ）
図３に示すように「アプリケーションダウンロードサーバ」（０３２０）は、「送信部」（０３２１）を有する。なお、アプリケーションダウンロードサーバは、複数のサーバ装置の協働によって実現されても良いし、１のサーバ装置として実現されるとともに、さらに後述するＩＲ情報サーバなど他のサーバの機能を当該１のサーバ装置に含むものとして実現されても良い。
【００７６】
「送信部」（０３２１）は、前記ＩＲアプリケーションを送信する機能を有し、ＣＰＵや主メモリ、通信回路、送信プログラムなどによって実現することができる。
【００７７】
具体的に、前述のモバイル端末装置からのダウンロードリクエストをインターネット回線などを介して通信回路にて受信すると、そのリクエストに応じてリクエスト元のモバイル端末装置のアドレスを宛先としてＨＤＤなどの記憶装置に保持しているＩＲアプリケーションデータを送信する、という具合である。
なお、このアプリケーションダウンロードサーバからモバイル端末装置にダウンロードされるＩＲアプリケーションは、例えば機能追加やセキュリティ向上などに応じたアップデートによる更新を除き、基本的には更新等されず当初モバイル端末装置にダウンロードされたままとしても良い。
あるいはＩＲアプリケーションは、例えば四半期ごとや半期ごと、年次ごとという具合に新たなＩＲ情報が提供されるような所定の周期で更新され、新しいＩＲアプリケーションがダウンロードされるよう構成しても良い。その場合には、前述のＩＲ情報表示体に表示されるアクセス情報も、ＩＲアプリケーションの更新に合わせて新たなものとなるように構成しても良い。また更新されたＩＲアプリケーションのダウンロードにおいてはアクセス情報を利用せず、ＩＲアプリケーションに組み込まれたアップデート機能などを利用してＩＲアプリケーションが更新されたことを検知して、自動的に当該更新を行ったり、ユーザに対して更新ＩＲアプリケーションのダウンロードアクセスを実行するように促す構成としても良い。
【００７８】
（ＩＲ情報サーバ）
図３に示すように、「ＩＲ情報サーバ」（０３３０）は、「ＩＲ情報保持部」（０３３１）と、「ＩＲ情報送信部」（０３３２）と、を有する。
【００７９】
「ＩＲ情報保持部」（０３３１）は、ＩＲ情報を保持する機能を有し、例えばＨＤＤやフラッシュメモリ、その他記憶装置などで実現することができる。
【００８０】
図４は、このＩＲ情報保持部で保持されているＩＲ情報の一例を表す図である。この図にあるように、例えば企業ＩＤ及び該当期間などの情報と関連付けて、当該企業の該当期間における売上高や営業利益、流動資産、固定資産、有利子負債、1株当たりの配当額などの財務情報や、新技術に関する資料データや代表者挨拶の動画データのファイル名などがＩＲ情報として保持されている、という具合である。
【００８１】
また、ここで保持されているＩＲ情報については四半期など所定期間ごとに分けて集計されて別々に保持され、例えば半期報告書においては該当期間のＩＲ情報（財務情報）を足し合わせるなどして生成されるよう構成しても良い。
【００８２】
「ＩＲ情報送信部」（０３３２）は、前記ＩＲアプリケーションの実行に応じて要求されるＩＲ情報保持部に保持されたＩＲ情報をそのＩＲアプリケーションに対して送信する機能を有し、例えばＣＰＵや主メモリ、通信回路、ＩＲ情報送信プログラムなどによって実現することができる。
【００８３】
具体的には、前述のＩＲアプリケーションの実行によってモバイル端末装置から送信されたＩＲ情報の送信リクエストに返信する形で、図４に示すように保持されているＩＲ情報をリクエスト元のモバイル端末装置を宛先として送信する。
【００８４】
なお、送信すべきＩＲ情報は、例えばモバイル端末装置からの送信リクエストに含まれる企業別のＩＲアプリケーションの識別情報を参照し、そのＩＤで示される企業に関連付けられたＩＲ情報の全て、あるいは所定の条件にしたがって選択された一部として返信する構成とすると良い。
【００８５】
以上のように本実施例のＩＲシステムでは、企業のウエブページや冊子などの形態で提供されるＩＲ情報表示体に、上記ＩＲアプリケーションを入手するためのアクセス情報を表示することで、自然な流れで投資家などを自社専用ＩＲアプリケーションに誘導することができる。
【００８６】
したがって、企業などとしては、投資家などが自社ＩＲページや冊子などを訪問した千載一遇のチャンスを最大限活かしてＩＲアプリケーションをユーザのモバイル端末装置にダウンロードさせることができ、そのＩＲアプリケーションによって、自社ＩＲ情報を容易に、かつ積極的にユーザに提示することができる。
また、そのチャンスを活かしてユーザのモバイル端末装置にＩＲアプリケーションを一度ダウンロードしてもらうことで、以降はユーザはそのＩＲアプリケーションによってＩＲ情報を知ることができるようになる。したがってＩＲ情報表示体が紙媒体の冊子などであるとして、今後その紙媒体によるＩＲ情報の提供からデジタルデバイスに対する電子的なＩＲ情報の提供へと移行した場合にも本ＩＲシステムにて対応することができる。
【００８７】
<ハードウェア構成>
図５および図６は、上記機能的な各構成要件をハードウェアとして実現した際の本実施例のＩＲシステムにおける構成の一例を表す概略図である。この図を利用してＩＲアプリケーションによるＩＲ情報の取得処理におけるそれぞれのハードウェア構成部の働きについて説明する。なお以下の説明例においては「ＩＲ情報表示体」を紙媒体とし、図５は「モバイル端末装置」のハードウェア構成の一例を示し、図６は「アプリケーションダウンロードサーバ」と「ＩＲ情報サーバ」の機能を統合したサーバ装置のハードウェア構成の一例を示す。
【００８８】
（モバイル端末装置）
図５にあるように、モバイル端末装置は各種演算処理を実行するための「ＣＰＵ」（０５０１）と、「主メモリ」（０５０２）と、を備えている。また各種情報やプログラムを保持する「フラッシュメモリ」（０５０３）や、ユーザへの情報表示を行う「ＶＲＡＭ」（０５０４）や「ディスプレイ」（０５０５）、ユーザからの操作入力などを受け付ける「入力デバイス」（０５０６）、サーバ装置などと通信するための「通信回路」（０５０７）、アクセス情報を読み取るための「カメラ装置」（０５０８）なども備えている。そして、それらが「システムバス」などのデータ通信経路によって相互に接続され、情報の送受信や処理を行う。
【００８９】
また、「主メモリ」にはアクセス情報読取プログラム、ダウンロードサーバアクセスプログラム、ダウンロードプログラム、ＩＲアプリケーション実行プログラムなどが適宜読み出され、「ＣＰＵ」は読み出された各プログラムを参照解釈し、プログラムで示される手順に従い各種演算処理を実行する。また、この「主メモリ」や「フラッシュメモリ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００９０】
ここでユーザは、例えば企業ＡのウエブサイトのＩＲ情報が掲載されているウエブページ、またはそのページにあるデータをダウンロードし印刷して取得した紙媒体の年次報告書などのＩＲ情報表示体内にある「ＩＲ情報表示領域」に表示されているＩＲ情報を参照し、企業Ａの財務情報や新技術情報などを入手する。
【００９１】
また、このウエブページや年次報告書などには、例えばトップページや目次ページの右下などにある「アクセス情報表示領域」に、企業Ａに関するＩＲアプリケーションをダウンロードするためのアクセス情報を示す二次元コードが表示されている。そこでユーザはこの二次元コードを読み取るためモバイル端末装置を起動し、その「カメラ装置」がコード読み取りモードとなるよう「入力デバイス」から入力操作を行う。するとモバイル端末装置の「ＣＰＵ」は、アクセス情報読取プログラムを解釈し、「カメラ装置」によって撮影され、図示しない「フレームメモリ」などに格納された二次元コードの画像データの解析処理を実行する。そして解析処理の結果として当該二次元コードで示されるＵＲＬ（ＩＲアプリケーションの保存場所ディレクトリ名やファイル名などを含む）を表すテキストコードなどをアクセス情報として取得し、「主メモリ」に格納する。
【００９２】
つづいて「ＣＰＵ」はダウンロードサーバアクセスプログラムを解釈し、それにしたがって、「主メモリ」に格納されたＵＲＬを宛先として、当該ＵＲＬに含まれるファイル名で識別されるＩＲアプリケーションのダウンロードリクエストを生成し、「通信回路」から出力する。そしてそのダウンロードリクエストへのレスポンスとして返信されてきたＩＲアプリケーションのデータを「通信回路」を介して受信し「フラッシュメモリ」に記録、保持する。
【００９３】
その後、「入力デバイス」を介してＩＲアプリケーションの実行命令の操作入力を受け付けると、「ＣＰＵ」はＩＲアプリケーション実行プログラムを解釈し、それにしたがって「フラッシュメモリ」に保持されているＩＲアプリケーションを「主メモリ」に読み込む。そして、ＩＲアプリケーションの解釈結果にしたがって、ＩＲ情報の送信リクエスト（ＩＲアプリケーションＩＤで示される企業ＩＤを含む）を「通信回路」を介してサーバ装置に出力する。
【００９４】
そして、そのリクエストに応じて返信されてきたＩＲ情報を「通信回路」を介して取得し、そのＩＲ情報を用いたＩＲアプリケーションの実行結果に応じて、例えばグラフ化や各種アニメーション演出なども付加した表示用情報を生成する。そして生成した表示用情報を「ＶＲＡM」に転送して「ディスプレイ」に表示し、当該ＩＲ情報をユーザに提示する、という具合である。
【００９５】
（サーバ装置）
図６にあるように、サーバ装置は各種演算処理を実行するための「ＣＰＵ」（０６０１）と、「主メモリ」（０６０２）と、を備えている。また各種情報やプログラムを保持する「ＨＤＤ」（０６０３）や、モバイル端末装置などと通信するための「通信回路」（０６０４）なども備えている。そして、それらが「システムバス」などのデータ通信経路によって相互に接続され、情報の送受信や処理を行う。なお、このサーバ装置は、前述の通り、本実施例のアプリケーションダウンロードサーバと、ＩＲ情報サーバの機能を統合したものである。
【００９６】
そして、このサーバ装置の「主メモリ」には送信プログラム、ＩＲ情報送信プログラムなどが適宜読み出され、「ＣＰＵ」は読み出された各プログラムを参照解釈し、プログラムで示される手順に従い各種演算処理を実行する。
【００９７】
まず、このサーバ装置では、オペレータなどの登録処理に応じて、例えば企業別に作成されたＩＲアプリケーションが「ＨＤＤ」に記録、保持される。また、企業別に管理されるＩＲ情報も同様に企業ＩＤと関連付けて「ＨＤＤ」に記録、保持される。
【００９８】
その後、先に説明したようにモバイル端末装置から出力されたＩＲアプリケーションのダウンロードリクエストを「通信回路」にて受信すると、それに応じて「ＣＰＵ」は送信プログラムを解釈し、ダウンロードリクエストに含まれるディレクトリ名やファイル名をキーとして、「ＨＤＤ」に保持されているＩＲアプリケーションの中から、返信すべきＩＲアプリケーションを特定し「主メモリ」に格納する。
【００９９】
そしてリクエストで示されるリクエスト元ＩＤなどを参照して、リクエスト元のモバイル端末装置に対して、特定したＩＲアプリケーションを「通信回路」から出力する。
【０１００】
また、その後のＩＲアプリケーションの実行に応じてモバイル端末装置から出力されたＩＲ情報の送信リクエストを「通信回路」にて受信すると、「ＣＰＵ」はＩＲ情報送信プログラムを解釈し、例えばその送信リクエストに含まれるＩＲアプリケーションＩＤから企業Ａに関するＩＲアプリケーションであることを判断し、「ＨＤＤ」に保持されているＩＲ情報の中から、企業Ａを示す企業ＩＤと関連付けられているＩＲ情報を特定し「主メモリ」に格納する。
【０１０１】
そしてリクエストで示されるリクエスト元ＩＤなどを参照して、リクエスト元のモバイル端末装置に対して、特定したＩＲ情報を「通信回路」から出力する、という具合である。
【０１０２】
<処理の流れ>
図７は、本実施例のＩＲシステムにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、以下の説明例ではＩＲ情報表示体を紙媒体とし、紙面上にＩＲ情報表示領域とアクセス情報表示領域を有するものとして処理の流れは省略する。
【０１０３】
この図にあるように、まず、アプリケーションダウンロードサーバに、ＩＲアプリケーションが記録、保持される（ステップＳ０７１１：ＩＲアプリケーション保持ステップ）。またＩＲ情報サーバのＩＲ情報保持部に、例えば企業別などのＩＲ情報が記録、保持される（ステップＳ０７２１：ＩＲ情報保持ステップ）。
【０１０４】
その後、ユーザがＩＲ情報表示体を入手し、そのＩＲ情報表示領域に表示されているＩＲ情報を参照するとともに、アクセス情報表示領域に表示されているアクセス情報を読み取るため、モバイル端末装置にてそのアクセス情報を例えばカメラ機能や二次元コード解析機能などを利用して読み取る（ステップＳ０７０１：アクセス情報読取ステップ）。すると、モバイル端末装置は、読み取ったアクセス情報を利用してアプリケーションダウンロードサーバにアクセスする（ステップＳ０７０２：ダウンロードサーバアクセスステップ）。
【０１０５】
するとステップＳ０７０２のアクセスによりアプリケーションダウンロードサーバにてダウンロードリクエストを受け付けると、リクエストに応じてＩＲアプリケーションをモバイル端末装置に送信する（ステップＳ０７１２：送信ステップ）。
【０１０６】
そして、モバイル端末装置では、ステップＳ０７１２でアプリケーションダウンロードサーバから送信されたＩＲアプリケーションをダウンロードする（ステップＳ０７０３：ダウンロードステップ）。そして、ユーザ操作入力などに応じて、ダウンロードしたＩＲアプリケーションを実行する（ステップＳ０７０４：ＩＲアプリケーション実行ステップ）。
【０１０７】
すると、そのステップＳ０７０４のＩＲアプリケーションの実行に応じた要求（リクエスト）をＩＲ情報サーバにて受信し、それに応じてＩＲ情報保持部に保持されたＩＲ情報をそのＩＲアプリケーションに対して送信する（ステップＳ０７２２：ＩＲ情報送信ステップ）。
【０１０８】
そして、そのステップＳ０７２２で送信されたＩＲ情報をモバイル端末装置にて受信すると、ステップＳ０７０４で実行中のＩＲアプリケーションは受信したＩＲ情報を利用して各種表示形態でＩＲ情報を表示し、ユーザに提示する、という具合である。
【０１０９】
<効果の簡単な説明>
以上のように本実施例のＩＲシステムでは、企業のウエブページや冊子などの形態で提供されるＩＲ情報表示体に、上記ＩＲアプリケーションを入手するためのアクセス情報を表示することで、自然な流れで投資家などを自社専用ＩＲアプリケーションに誘導することができる。
【０１１０】
したがって、企業などとしては、投資家などが自社ＩＲページや冊子などを訪問した千載一遇のチャンスを最大限活かしてＩＲアプリケーションをユーザのモバイル端末装置にダウンロードさせることができ、そのＩＲアプリケーションによって、自社ＩＲ情報を容易に、かつ積極的にユーザに提示することができる。
【０１１１】
より具体的には、ＩＲアプリケーションはモバイル端末装置にダウンロードされるので、当該モバイル端末装置の最初のホーム画面に配置されたアイコン選択などによって簡単に起動、実行することができる。したがって、当該ＩＲアプリケーションの利用促進が期待できる。
【０１１２】
さらに、モバイル端末装置上にはＩＲ情報を掲載するウエブページにアクセスするためのブラウザを起動、実行するためのアイコンなども、ＩＲアプリケーションと階層的に同列に配置される。そしてそのブラウザを利用してウエブページに掲載されたＩＲ情報を入手するためには、前述の通り、そのホーム画面からのブラウザの起動から、企業名をキーワードとする検索などの手間を必要とする。その一方、企業別に用意されたＩＲアプリケーションであれば、同じホーム画面から当該ＩＲアプリケーションを起動、実行するだけで所望の企業のＩＲ情報を簡単に入手することができる。
【０１１３】
またＩＲアプリケーションは、前述の通りＩＲ情報を表示することを基本機能とするアプリケーションソフトウェアであるため、ＩＲ情報の表示に好適となるよう設計することができる。したがって、ＩＲ情報表示体では難しいＩＲ情報の表示に関する処理、例えばＩＲ情報である各財務情報の関連性などを考慮した当該財務情報の推移を分かりやすく表示するグラフ作成／グラフアニメーション表示機能や、ＩＲ情報の関連性などを考慮した情報探索に好適に設計された検索システムを利用したＩＲ情報の表示などを行うことができる。
【０１１４】
≪実施例２≫
<概要>
本実施例のＩＲシステムは、上記実施例のうち、特にＩＲ情報表示体がウエブサーバ装置である実施例を基本として、さらにその当該ウエブサーバ装置によるウエブページ等に表示されるＩＲ情報と、ＩＲアプリケーションで表示されるＩＲ情報とが、１のサーバ（ＩＲ情報管理サーバ）で管理されていることを特徴とする。
【０１１５】
このように、両媒体（ＩＲ情報表示体とＩＲアプリケーション）に提供されるＩＲ情報を１のサーバで管理することで、例えば一方のＩＲ情報を他方のＩＲ情報で補完したり、表示形態などは異なるものの両者のＩＲ情報の種類や内容を統一させたりして、両媒体でＩＲ情報の内容を連動させることができる。
【０１１６】
<機能的構成>
図８は、本実施例のＩＲシステムにおける機能ブロックの一例を表す図である。この図にあるように、本実施例のＩＲシステムは、上記実施例を基本として「ＩＲ情報表示体（ウエブサーバ装置）」（０８００）と、「モバイル端末装置」（０８１０）と、「アプリケーションダウンロードサーバ」（０８２０）と、「ＩＲ情報サーバ」（０８３０）と、からなる。なお、これら「ＩＲ情報表示体」、「モバイル端末装置」、「アプリケーションダウンロードサーバ」、「ＩＲ情報サーバ」における各機能的構成については、上記実施例１にて説明済みであるので、その図示および説明は省略する。
【０１１７】
そして本実施例のＩＲシステムは、さらに「ＩＲ情報管理サーバ」（０８４０）を備えていることを特徴とする。
【０１１８】
（ＩＲ情報管理サーバ）
図８に示すように、「ＩＲ情報管理サーバ」は、「ＩＲ情報一時保持部」（０８４１）と、「ウエブＩＲ情報管理部」（０８４２）と、「ＩＲ情報サーバＩＲ情報管理部」（０８４３）と、を有する。なお、このＩＲ情報管理サーバは、単独のサーバ装置として実現されても良いし、あるいはアプリケーションダウンロードサーバやＩＲ情報サーバに、上記ＩＲ情報管理サーバに係る機能的構成０８４１〜０８４３が組み込まれて実現されても良い。
【０１１９】
「ＩＲ情報一時保持部」（０８４１）は、ＩＲ情報を一時保持する機能を有し、例えばＣＰＵや主メモリ、ＨＤＤなどの記憶装置やＩＲ情報一時保持プログラムなどで実現することができる。そして、ここに一時的に保持されるＩＲ情報がウエブサーバ装置とＩＲ情報サーバの双方に提供されることで、ＩＲ情報表示体とＩＲアプリケーションとでＩＲ情報が連動するように容易に管理することができる。
【０１２０】
「ウエブＩＲ情報管理部」（０８４２）は、ＩＲ情報一時保持部に保持されたＩＲ情報を用いて、前記ウエブサーバ装置にて表示されるＩＲ情報を管理する機能を有し、ＣＰＵや主メモリ、ウエブＩＲ情報管理プログラムなどによって実現することができる。
【０１２１】
「ＩＲ情報サーバＩＲ情報管理部」（０８４３）は、ＩＲ情報一時保持部に保持されたＩＲ情報を用いて、前記ＩＲ情報サーバのＩＲ情報保持部に保持されたＩＲ情報を管理する機能を有し、例えばＣＰＵや主メモリ、ＩＲ情報サーバＩＲ情報管理プログラムなどによって実現することができる。
【０１２２】
具体的に、このウエブＩＲ情報管理部と、ＩＲ情報サーバＩＲ情報管理部によるＩＲ情報の管理は、ＩＲ情報一時保持部に保持されているＩＲ情報を対象とした管理であること以外、その内容などについては特に限定しない。例えば、両管理部で管理するＩＲ情報が共通となるようにしても良いし、まったく異なるようにしても良い。あるいは、一方の管理部で管理するＩＲ情報が、他方の管理部で管理するＩＲ情報を補完するような、例えば一方のＩＲ情報で売上高を示し、他方のＩＲ情報でその売上の要因となった新技術のプレスリリース情報を示すなどといった関係性となるよう管理しても良い。
【０１２３】
このように、本実施例によってＩＲ情報表示体とＩＲアプリケーションに提供されるＩＲ情報を連動させることができる。
【０１２４】
また、両管理部で管理するＩＲ情報を共通とするために、「ＩＲ情報一時保持部」は、図示しない「共通保持手段」を有していても良い。この「共通保持手段」は、前記ウエブサーバ装置にて表示されるＩＲ情報と、前記ＩＲ情報サーバのＩＲ情報保持部に保持されたＩＲ情報の共通のＩＲ情報である共通ＩＲ情報を保持する機能を有し、例えばＣＰＵや主メモリ、ＨＤＤなどの記憶装置や共通保持プログラムなどで実現することができる。
【０１２５】
なおＩＲ情報の共通化とは、例えばデータ形式なども含めて全く同じデータとする方法のほか、例えばウエブサーバ装置用にＨＴＭＬ言語で記述されているデータを、ＩＲアプリケーションで読み取れる形式に変換する方法なども挙げられる。またＩＲアプリケーションに、ＨＴＭＬ言語で記述されたデータをタグを参照して読み取り、所定の表示用加工などを施して表示する機能を付加することで共通化されたＩＲ情報を利用する構成としても良い。
【０１２６】
そして、このように共通ＩＲ情報を利用することで、ＩＲ情報表示体（ウエブサーバ装置）にて表示されるＩＲ情報と、ＩＲ情報サーバから取得されＩＲアプリケーションにて表示されるＩＲ情報を別々に生成、管理する必要が無くなり、コストを削減することができる。
【０１２７】
<ハードウェア構成>
図９は、上記機能的な各構成要件をハードウェアとして実現した際の本実施例のＩＲシステムのＩＲ情報管理サーバにおける構成の一例を表す概略図である。この図を利用してＩＲ情報の管理処理におけるそれぞれのハードウェア構成部の働きについて説明する。
【０１２８】
（ＩＲ情報管理サーバ）
図９にあるように、ＩＲ情報管理サーバは各種演算処理を実行するための「ＣＰＵ」（０９０１）と、「主メモリ」（０９０２）と、を備えている。また各種情報やプログラムを保持する「ＨＤＤ」（０９０３）や、モバイル端末装置や他のサーバなどと通信するための「通信回路」（０９０４）なども備えている。そして、それらが「システムバス」などのデータ通信経路によって相互に接続され、情報の送受信や処理を行う。
【０１２９】
また、「主メモリ」にはＩＲ情報一時保持プログラム、ウエブＩＲ情報管理プログラム、ＩＲ情報サーバＩＲ情報管理プログラムなどが適宜読み出され、「ＣＰＵ」は読み出された各プログラムを参照解釈し、プログラムで示される手順に従い各種演算処理を実行する。
【０１３０】
ここで、「ＣＰＵ」は、ＩＲ情報一時保持プログラムを解釈し、それにしたがって所定のＩＲ情報を「主メモリ」に格納する。つづいて、「ＣＰＵ」は、ウエブＩＲ情報管理プログラムとＩＲ情報サーバＩＲ情報管理プログラムを解釈し、「主メモリ」に格納されているＩＲ情報が、例えば共通のＩＲ情報としてウエブサーバ装置とＩＲ情報サーバに提供されるよう管理する、という具合である。
【０１３１】
<処理の流れ>
図１０は、本実施例のＩＲシステムのＩＲ情報管理サーバにおける処理の流れの一例を表すフローチャートである。なお、以下に示すステップは、上記のような計算機の各ハードウェア構成によって実行されるステップであっても良いし、媒体に記録され計算機を制御するためのプログラムを構成する処理ステップであっても構わない。また、ＩＲシステムのモバイル端末装置やＩＲ情報サーバの処理の流れについては実施例１で記載済みであるので、その説明は省略する。またウエブサーバ装置であるＩＲ情報表示体についても、ＩＲ情報とアクセス情報を所定の表示領域に表示する処理のみであるので、特に詳細な説明は省略する。
【０１３２】
この図１０にあるように、ＩＲ情報管理サーバは、主メモリやＨＤＤなどの記憶装置にＩＲ情報を一時的に保持する（ステップＳ１００１：ＩＲ情報一時保持ステップ）。そしてステップＳ１００１で一時的に保持されたＩＲ情報を用いて、前記ウエブサーバ装置にて表示されるＩＲ情報を管理する（ステップＳ１００２：ウエブＩＲ情報管理ステップ）。またステップＳ１００１で一時的に保持されたＩＲ情報を用いて、前記ＩＲ情報サーバのＩＲ情報保持部に保持されたＩＲ情報を管理する（ステップＳ１００３：ＩＲ情報サーバＩＲ情報管理ステップ）。
【０１３３】
<効果の簡単な説明>
以上のように、本実施例のＩＲシステムによって、ＩＲ情報表示体とＩＲアプリケーションに提供されるＩＲ情報を１のサーバで管理することで、例えば一方のＩＲ情報を他方のＩＲ情報で補完したり、表示形態などは異なるものの両者のＩＲ情報の種類や内容を統一させたりして、両媒体でＩＲ情報の内容を連動させることができる。
【０１３４】
また、そのＩＲ情報を共通化することで、ＩＲ情報表示体（ウエブサーバ装置）にて表示されるＩＲ情報と、ＩＲ情報サーバから取得されＩＲアプリケーションにて表示されるＩＲ情報を別々に生成、管理する必要が無くなり、コストを削減することができる。
【符号の説明】
【０１３５】
０３００  ＩＲ情報表示体
０３０１  ＩＲ情報表示領域
０３０２  アクセス情報表示領域
０３１０  モバイル端末装置
０３１１  アクセス情報読取部
０３１２  ダウンロードサーバアクセス部
０３１３  ダウンロード部
０３１４  ＩＲアプリケーション実行部
０３２０  アプリケーションダウンロードサーバ
０３２１  送信部
０３３０  ＩＲ情報サーバ
０３３１  ＩＲ情報保持部
０３３２  ＩＲ情報送信部
【図１】
2014130488.tif 000003
【図２】
2014130488.tif 000004
【図３】
2014130488.tif 000005
【図４】
2014130488.tif 000006
【図５】
2014130488.tif 000007
【図６】
2014130488.tif 000008
【図７】
2014130488.tif 000009
【図８】
2014130488.tif 000010
【図９】
2014130488.tif 000011
【図１０】
2014130488.tif 000012
【図１１】
2014130488.tif 000013